(57)【特許請求の範囲】
【請求項１】
椅子に備えられる椅子用荷重支持部材であって、
前記椅子の幅方向に離間して略平行に配置された一対の杆材を備える枠部材と、
前記椅子の荷重受面側に配置される表側張材と前記荷重受面の反対側に配置される裏側張材とが、前記杆材の長さ方向における一端縁および前記幅方向の両方の側端縁において接合されるとともに、前記長さ方向における他端縁側に、前記幅方向に連続する開口部を有した袋状に形成されて、前記開口部を通して前記枠部材に該枠部材の前記長さ方向における一端側から被せられた張材と、を備え、
前記張材には、前記一端縁側の端縁部の、前記幅方向における外側端より内側に表側張材と裏側張材とが接合されてなる余長部が形成されるとともに、該余長部の前記幅方向における内側に前記杆材を露出させる露出口が形成され、
前記杆材には、前記露出口側の端部に、該露出口に連通する開口を有する嵌合穴と、前記杆材の長さ方向に突出して前記余長部に当接する突縁部とが形成され、
前記張材における前記一端縁側の端縁部には、
前記露出口を通って前記嵌合穴に嵌合する嵌合突起と、
前記嵌合突起における前記一端縁側に位置して、前記張材の外側で前記嵌合突起から外方に拡がる覆い部と、
を有する閉塞部材が設けられ、
前記覆い部は、前記露出口を閉塞するとともに、前記余長部を含む前記露出口の外周部を介して前記突縁部に前記長さ方向で突き当たることを特徴とする椅子用荷重支持部材。
【請求項２】
前記突縁部は、前記嵌合穴を囲む外周部にその周方向全周に連続して形成されていることを特徴とする請求項１記載の椅子用荷重支持部材。
【請求項３】
前記閉塞部材は、前記嵌合突起および前記覆い部を有し、前記一対の杆材の各々に取り付けられた一対の閉塞部と、該一対の閉塞部間を連結する連結部とを備えた、前記一対の杆材間を連結する連結フレームであることを特徴とする請求項１又は２に記載の椅子用荷重支持部材。
【請求項４】
請求項１〜３のいずれか一項に記載の椅子用荷重支持部材を、前記杆材が上下方向に沿って配置されるとともに、前記嵌合穴が上方を向いて配置される背凭れとして備えることを特徴とする椅子。
【発明の詳細な説明】
【技術分野】
【０００１】
本発明は、椅子用荷重支持部材および椅子に関する。
【背景技術】
【０００２】
従来、椅子用荷重支持部材を背凭れとして備える椅子として、例えば特許文献１に開示された椅子がある。この特許文献１に開示された椅子においては、荷重受面を構成する一層（一枚）の張材の、椅子の幅方向における側端部に筒状の挿通部が形成されており、この挿通部に枠部材が挿通されることによって、張材が枠部材に張設されている。このような構成を採ることによって、張材を張設する工程が大幅に短縮されるというメリットがある。
【０００３】
ところで、このような構成を採る椅子では、荷重受面における着座者の荷重を支持する力が、専ら左右方向へ引き延ばされる力に依拠して発生することになる。張材を引き延ばすにあたっては、張材の幅方向の側端部を手で引っ張って張材全体を延ばすという方法が採られる。しかし、特許文献１に開示される椅子では、張材の荷重受面を構成する層が一層のみで形成されていることから、挿通部とは縫合により隔絶されているので、左右方向に引き延ばしにくい。
【０００４】
枠部材を張材の内部に位置させるという構成を維持しつつ、上端部を張材より露出させ、張材の張力を発揮しやすくするには、特許文献２に開示されるような下端開口型の袋状の張材によって荷重受面を構成するとともに、その上端部に枠部材の上端部が露出する開口部を形成することが考えられる。このような構成を採用することにより、張材を幅方向の全域にわたって引き延ばすことが可能となる。
【先行技術文献】
【特許文献】
【０００５】
【特許文献１】欧州特許第２１６５６２８号明細書
【特許文献２】特開２００９−１１２３９６号公報
【発明の概要】
【発明が解決しようとする課題】
【０００６】
しかしながら、前記のように袋状の張材の上端部に開口部を形成した場合、張材を幅方向の全域にわたって引き延ばした際に前記開口部も引き延ばされるので、該開口部と枠部材（杆材）の上端部との位置関係が、椅子の幅方向にずれやすくなる。したがって、杆材の上端部間を特許文献１に開示されるような連結部材によって連結し、張材の開口部を覆うようにした場合に、前記したように開口部と杆材の上端部とは互いの中心が一致することなくずれやすくなっているため、連結部材によって張材の開口部を確実に覆うことが難しくなる。
【０００７】
本発明は前記課題に鑑みてなされたもので、張材が引き延ばされることによる張材の上端開口部と杆材の上端部との位置ずれを防止し、杆材に取り付ける部材によって張材の上端開口部を確実に覆うことができるようにした椅子用荷重支持部材と、これを備える椅子を提供することを目的とする。
【課題を解決するための手段】
【０００８】
本発明の椅子用荷重支持部材は、椅子に備えられる椅子用荷重支持部材であって、前記椅子の幅方向に離間して略平行に配置された一対の杆材を備える枠部材と、前記椅子の荷重受面側に配置される表側張材と前記荷重受面の反対側に配置される裏側張材とが、前記杆材の長さ方向における一端縁および前記幅方向の両方の側端縁において接合されるとともに、前記長さ方向における他端縁側に、前記幅方向に連続する開口部を有した袋状に形成されて、前記開口部を通して前記枠部材に該枠部材の前記長さ方向における一端側から被せられた張材と、を備え、前記張材には、前記一端縁側の端縁部の、前記幅方向における外側端より内側に表側張材と裏側張材とが接合されてなる余長部が形成されるとともに、該余長部の前記幅方向における内側に前記杆材を露出させる露出口が形成され、前記杆材には、前記露出口側の端部に、該露出口に連通する開口を有する嵌合穴と、前記杆材の長さ方向に突出して前記余長部に当接する突縁部とが形成され、前記張材における前記一端縁側の端縁部には、前記露出口を通って前記嵌合穴に嵌合する嵌合突起と、前記嵌合突起における前記一端縁側に位置して、前記張材の外側で前記嵌合突起から外方に拡がる覆い部と、を有する閉塞部材が設けられ、前記覆い部は、前記露出口を閉塞するとともに、前記余長部を含む前記露出口の外周部を介して前記突縁部に前記長さ方向で突き当たることを特徴とする。
【０００９】
この椅子用荷重支持部材によれば、枠部材に被せられた張材における一端縁側の端縁部に、露出口（上端開口部）を通って杆材の嵌合穴に嵌合して露出口を閉塞するとともに、余長部を介して杆材の突縁部に突き当たる閉塞部材を設けているので、杆材の突縁部に対して張材の余長部が位置合わせされることにより、張材を大きく引き伸ばした場合でも、露出口と杆材との間の位置ずれが抑制され、防止される。したがって、その状態で閉塞部材が容易に取り付けられ、張材の露出口が確実に覆われる。
【００１０】
また、前記椅子用荷重支持部材において、前記突縁部は、前記嵌合穴を囲む外周部にその周方向全周に連続して形成されていることが好ましい。
この構成によれば、突縁部が嵌合穴を囲む外周部にその周方向全周に連続して形成されているので、杆材の一端側が張材に対して広範囲で位置合わせされるようになり、したがって張材を大きく引き伸ばした場合でも、露出口と杆材との間の位置ずれがより確実に抑制され、防止される。
【００１１】
また、前記椅子用荷重支持部材において、前記閉塞部材は、前記嵌合突起および前記覆い部を有し、前記一対の杆材の各々に取り付けられた一対の閉塞部と、該一対の閉塞部間を連結する連結部とを備えた、前記一対の杆材間を連結する連結フレームであることが好ましい。
この構成によれば、張材の張力等によって一方の閉塞部に嵌合穴から脱落する方向への力が働いても、他方の閉塞部および連結部によって脱落が防止される。
【００１２】
本発明の椅子は、前記椅子用荷重支持部材を、前記杆材が上下方向に沿って配置されるとともに、前記嵌合穴が上方を向いて配置される背凭れとして備えることを特徴とする。
この椅子によれば、背凭れを構成するにあたり張材が杆材（枠部材）に対し位置合わせされた状態で張設されるので、張材を大きく引き伸ばした場合でも、露出口と杆材との間の位置ずれが抑制され、防止される。
【発明の効果】
【００１３】
本発明の椅子用荷重支持部材によれば、張材が引き延ばされることによる張材の露出口と杆材の嵌合穴との位置ずれを防止し、杆材に取り付ける部材によって張材の露出口を確実に覆うことができる。
本発明の椅子によれば、張材の露出口が確実に覆われるので、生産性に優れ、また見映えも良いものとなる。
【図面の簡単な説明】
【００１４】
【図１】本発明に係る椅子の一実施形態の正面側から見た斜視図である。
【図２】本発明に係る椅子の一実施形態の背面側から見た斜視図である。
【図３】本発明に係る椅子用荷重支持部材の一実施形態となる背凭れの分解斜視図である。
【図４】枠部材の概略構成を示す図であって、（ａ）は正面図、（ｂ）は側面図である。
【図５】図４（ａ）のＡ−Ａ線矢視断面図である。
【図６】図４（ａ）のＢ−Ｂ線矢視要部断面図である。
【図７】張材と張材に設けられる部材の分解斜視図である。
【図８】図４（ａ）のＣ−Ｃ線矢視断面図である。
【図９】図４（ａ）のＤ−Ｄ線矢視断面図である。
【発明を実施するための形態】
【００１５】
以下、本発明に係る椅子の実施形態を図面に基づいて詳しく説明する。なお、以下の説明においては、椅子１に正規姿勢で着座した人の正面が向く向きを「前」または「正面」と呼び、それと逆側の向きを「後」または「背面」と呼ぶものとする。また、「上」，「下」と「左」，「右」については、椅子に正規姿勢で着座した人の上方の向きを「上」、それと逆側の向きを「下」と呼び、椅子１に正規姿勢で着座した人の左側の向きを「左」、それと逆側の向きを「右」と呼ぶものとする。すなわち、鉛直方向を上下方向と呼び、水平方向を左右方向と呼ぶ。
【００１６】
図１は本発明に係る椅子の一実施形態の正面側から見た斜視図、図２は同じく背面側から見た斜視図であり、これらの図において符号１は椅子である。この椅子１は、フロア上に載置される脚部２と、脚部２の上端に設置される支基３と、着座者が着座する座体４と、支基３の上面に取り付けられて座体４を支持する座受部材５と、支基３から後部上方側に延出して座体４に着座した着座者の背中を支持する背凭れ６と、を備えて構成されている。
【００１７】
脚部２は、キャスタ７ａ付きの多岐脚７と、多岐脚７の中央部より起立し昇降機構であるガススプリングを内蔵する脚柱８とを備え、脚柱８の上端部に支基３が取り付けられている。支基３には、脚柱８の昇降調整機構と背凭れ６の傾動調整機構とが内蔵されている。
【００１８】
背凭れ６は、本発明に係る椅子用荷重支持部材の一実施形態となるもので、背凭れ６の分解斜視図である図３に示すように、椅子１の幅方向（左右方向）に離間して略平行に配置された一対の杆材９、９を備える枠部材１０と、一対の杆材９、９間に架設された面材１１と、一対の杆材９、９に被せられた袋状の張材１２と、枠部材１０の幅方向両側にそれぞれ取り付けられた肘掛け１３と、を備えて構成されている。
【００１９】
枠部材１０は、その概略構成図である図４（ａ）、（ｂ）に示すように、前記一対の杆材９、９と、これらの下端部（他端部）に一体に設けられた下枠部１４とを有し、一対の杆材９、９の上端部（一端部）に連結フレーム１５が取り付けられたことで構成される。また、本実施形態では、前記したように枠部材１０の幅方向両側、すなわち一対の杆材９、９と下枠部１４との接続部に、それぞれ肘掛け１３が取り付けられている。ただし、本発明に係る椅子用荷重支持部材（背凭れ６）では、枠部材１０に肘掛け１３が取り付けられない構成となっていてもよい。
【００２０】
面材１１は、図３に示すように略矩形状に形成されたもので、メッシュ材やエラストマー等からなる面材本体１１ａと、面材本体１１ａの幅方向両側にそれぞれ設けられた側部支持フレーム１１ｂ、１１ｂと、面材本体１１ａの下端に設けられた下部支持フレーム１１ｃとからなっている。側部支持フレーム１１ｂや下部支持フレーム１１ｃは、縫合等によって面材１１の後方（背面方向）に向けて取り付けられている。面材１１は、側部支持フレーム１１ｂ、１１ｂが図４（ａ）に示す杆材９の側部支持部１６に取り付けられて支持され、下部支持フレーム１１ｃが下枠部１４の下部支持部１７に取り付けられて支持されることにより、枠部材１０に固定されている。
【００２１】
側部支持部１６は、一対の杆材９、９の、互いに対向する内側面にそれぞれ設けられており、図４（ａ）のＡ−Ａ線矢視断面図である図５に示すように、杆材９と、該杆材９の内側面側に隙間をあけて該杆材９に沿って配設された細板状の支持材１８とによって形成されている。すなわち、杆材９と支持材１８との間に形成された前記隙間が、面材１１の側部支持フレーム１１ｂを取り付けるための嵌合凹部１９となっている。なお、杆材９と支持材１８との間には、図４（ａ）に示すように支持材１８を杆材９に取り付けるための取付板２０が、これら杆材９および支持材１８の後側（背面側）に設けられている。各取付板２０には、それぞれ取付口２０ａが複数（図４（ａ）では６つ）ずつ、上下方向に略等間隔で設けられている。
【００２２】
嵌合凹部１９は、椅子１の前側（正面側）、すなわち着座者の荷重を受ける側（荷重受面側）へ開口しており、図５に示すようにこの嵌合凹部１９内に、面材１１の側部支持フレーム１１ｂが嵌入している。側部支持フレーム１１ｂには、図３に示すようにその後端部に爪部２１が複数（図３では６つ）形成されている。これら爪部２１は、それぞれ前記取付板２０の取付口２０ａに入り込み、図５に示す杆材９の抜け止め凸部２０ｂに係止している。
【００２３】
すなわち、爪部２１は、側部支持フレーム１１ｂの後端から後側に突出し、さらに椅子１の幅方向外側に折れ曲がった後、前側に返されて形成されたもので、折り返された部位（折り返し部２１ａ）が杆材９の背面側の最奥部に形成された抜け止め凸部２０ｂに係止することにより、側部支持フレーム１１ｂが嵌合凹部１９内から抜け出るのが規制されている。つまり、折り返し部２１ａを嵌合凹部１９内に入れると、折り返し部２１ａは抜け止め凸部２０ｂを乗り越える際に、奥行方向と直交する方向に弾性変形する。そして、抜け止め凸部２０ｂを乗り越えた後、折り返し部２１ａは弾性復帰して抜け止め凸部２０ｂに係止する。これにより、折り返し部２１ａを押し入れるだけで、嵌合凹部１９への嵌合を完了することができる。このような側部支持フレーム１１ｂの後端部に形成された爪部２１の折り返し部２１ａと嵌合凹部１９の最奥部に形成された抜け止め凸部２０ｂとにより、本発明に係る抜け止め部、すなわち互いに係止することで側部支持フレーム１１ｂが嵌合凹部１９内から抜け出るのを規制する抜け止め部が形成されている。
【００２４】
なお、複数の爪部２１は、側部支持フレーム１１ｂが嵌合凹部１９内に嵌め入れられた際に、それぞれ対応する取付口２０ａに嵌め込まれ、折り返し部２１ａが抜け止め凸部２０ｂに係止させられている。
【００２５】
ここで、杆材９の側部支持部１６（支持部）には、嵌合凹部１９の開口の外周部における、椅子１の幅方向外側に、前記側部支持フレーム１１ｂを嵌合凹部１９に案内するための移行面２２が形成されている。移行面２２は、本実施形態では杆材９の正面側（椅子１の正面側）の端部から嵌合凹部１９の開口端に至る部位に形成されたもので、杆材９の後側（椅子１の背面側）に行くに従って嵌合凹部１９の開口を狭めるべく、嵌合凹部１９の開口端に近づくように傾斜して形成されている。本実施形態では、移行面２２は嵌合凹部１９を形成する杆材９の内側面側に設けられて、杆材９の正面側（椅子１の正面側）で、かつ杆材９の内側面側に向けて膨出する横断面視円弧形に形成されている。
【００２６】
このような構成のもとに、面材１１の側部支持フレーム１１ｂを嵌合凹部１９内に嵌め入れる際には、例えば側部支持フレーム１１ｂの爪部２１側を嵌合凹部１９の外側の移行面２２に突き当て、その後移行面２２の傾斜に沿って滑らせることにより、この傾斜（移行面２２）に案内させることで側部支持フレーム１１ｂを嵌合凹部１９に容易に嵌め入れることができる。したがって、側部支持フレーム１１ｂを嵌合凹部１９に嵌め入れた後、爪部２１を取付口２０ａ内に入れて折り返し部２１ａを抜け止め凸部２０ｂに係止させることにより、側部支持フレーム１１ｂを側部支持部１６に固定することができる。
【００２７】
また、前記支持材１８は、嵌合凹部１９の開口側（椅子１の正面側）が揺動可能に形成された自由端（遊端）となっている。これによって側部支持フレーム１１ｂは、嵌合凹部１９に容易に嵌め入れることが可能になっている。すなわち、面材１１を持った手と逆の手を使って自由端（支持材１８）を押し広げ、その状態で側部支持フレーム１１ｂを嵌合凹部１９に嵌め入れることができる。
【００２８】
さらに、支持材１８の自由端における先端部（椅子１の正面側の端部）は、杆材９における嵌合凹部１９を形成する部位の正面側（椅子１の正面側）の端面（端部）よりも、椅子１の背面側寄りに位置している。これにより、面材１１の位置が杆材９の正面側（荷重受面側）の端部よりも椅子１の背面側に後退する（オフセットされる）ので、面材１１が後述する張材１２の正面側を裏から当接するようになり、張材１２の変形を防止するようになる。また、前記自由端の先端部と杆材９の正面側の端部との間の段差を埋めるように面材１１を取り付けることにより、面材１１と杆材９とを、これらが相互に支持された状態において段差なく連続させることができる。
【００２９】
また、図３に示すように下部支持フレーム１１ｃにも爪部２３が形成されており、この爪部２３が下枠部１４の下部支持部１７における取付口２４に嵌め入れることにより、下部支持フレーム１１ｃが下枠部１４に固定されている。すなわち、下部支持フレーム１１ｃの爪部２３と下部支持部１７の取付口２４との間にも、必要に応じて前記した爪部２１の折り返し部２１ａおよび抜け止め凸部２０ｂと同様の構成からなるに抜け止め部が形成されており、これによって下部支持フレーム１１ｃは下枠部１４に固定されている。このように、側部支持フレーム１１ｂ、１１ｂと下部支持フレーム１１ｃとが枠部材１０に固定されることにより、面材１１も枠部材１０に固定される。
【００３０】
枠部材１０に固定された面材１１は、本実施形態では面材本体１１ａが着座者の背中によって加えられる荷重（体重）、すなわち面直方向（面と直交する方向）の荷重を受けて反発する弾性体（弾性抵抗体）となっている。面材本体１１ａは、前記したようにメッシュ材やエラストマーからなることで弾性変形可能に形成されて、面直方向の荷重を受けた際に反発力を発現するように構成されている。なお、側部支持フレーム１１ｂや下部支持フレーム１１ｃは、弾性変形可能な樹脂によって形成されている。
【００３１】
また、枠部材１０には、その幅方向両側のそれぞれの下端縁側（他端縁側）、すなわち下枠部１４と交差する部位に、幅方向の外側に開口する凹部２５が形成されている。凹部２５は、図４（ａ）のＢ−Ｂ線矢視要部断面図である図６に示すように、杆材９の内部にまで形成されており、本実施形態では該凹部２５の開口を閉塞して、前記肘掛け１３（閉塞部材）が取り付けられている。すなわち、凹部２５内に埋め込まれたナット２６に対して肘掛け１３がボルト２７によって着脱可能に固定されている。
【００３２】
なお、この凹部２５内には、後述する張材１２の側部開口を連結する連結板３２が設けられている。また、肘掛け１３には、その内部にボルト２７を取り付けるための貫通孔１３ａが形成されており、この貫通孔１３ａの外側の開口部には、これを閉塞するカバープレート１３ｂが取り付けられている。貫通孔１３ａの外側の開口部は、肘掛け１３が取り付けられる凹部２５と同じ開口形状に形成されているのが好ましい。このように構成とした場合、凹部２５に肘掛け１３を取り付けないときに、凹部２５にカバープレート１３ｂを取り付けることでその開口を閉塞することができる。
【００３３】
張材１２は、図７に示すように椅子１の正面側（荷重受面側）に配置される略矩形状の表側張材２８と、椅子１の背面側（荷重受面の反対側）に配置される略矩形状の裏側張材２９とが袋状に形成されたもので、図１、図２に示したように一対の杆材９、９に被せられている。この張材１２は、図３に示すように表側張材２８と裏側張材２９とが、杆材９の長さ方向における上端縁（一端縁）および幅方向の両方の側端縁にて縫合され、接合されており、これによって長さ方向における下端縁側（他端縁側）に、幅方向に連続する開口部３０を形成している。
【００３４】
ただし、この張材１２は、図７に示すように表側張材２８と裏側張材２９との両方の側端縁における接合部位３１の、下端縁側の端部３１ａが、側端縁の下端縁よりも側端縁の上端縁寄りに位置させられている。これによって開口部３０は、張材１２の両方の側端縁の下端縁側に開口する側部開口３０ａを有して形成されている。
【００３５】
側部開口３０ａには、図３、図７に示すように、該側部開口３０ａを形成する表側張材２８の下端縁側と裏側張材２９の下端縁側とを連結する連結板３２が設けられている。連結板３２は、張材１２の上端縁側が凸となり、下端縁側が凹となるように長さ方向の中央部でヘ字状に弾性変形させられて、屈曲させられた樹脂等からなる細板であって、図７に示す屈曲部３２ａを挟んだ一方の側が表側張材２８の下端縁側に連結し、他方の側が裏側張材２９の下端縁側に連結している。
【００３６】
連結板３２は、その長さ方向の中央部に屈曲部３２ａが形成されていることにより、屈曲部３２ａを挟んだ一方の側の長さと他方の長さとが略同一に形成されている。これにより、連結板３２は一方の側の長さが、表側張材２８の側部開口３０ａを形成する部分の長さと略同一とされ、他方の側の長さが、裏側張材２９の側部開口３０ａを形成する部分の長さと略同一とされている。すなわち、連結板３２はその一方の側の長さが、表側張材２８の、前記接合部位３１の下端縁側の端部３１ａから下端縁までの長さと略同一に形成され、他方の側の長さが、裏側張材２９の、前記接合部位３１の下端縁側の端部３１ａから下端縁までの長さと略同一に形成されている。
【００３７】
表側張材２８や裏側張材２９と連結板３２との連結は、例えば縫合によってなされている。ここで、表側張材２８や裏側張材２９への連結板３２の連結は、例えば以下の手順でなされる。まず、表側張材２８と裏側張材２９とのうちの一方をめくってその裏面側を表に出す。続いて、裏面側を表にした張材の上に連結板３２の一方の側を置き、張材が下、連結板３２が上という状態、すなわち連結板３２を視認できる状態で、連結板３２を張材に対して縫合する。このとき、連結板３２の他方の側（他方の張材に縫合する側）の端部は浮いた状態になっている。次いで、張材を反転させ、以下、前記した一方の張材のときと同様にして、他方の張材の裏面側に連結板３２の他方の側を縫合する。その後、連結板３２に縫合した表側張材２８、裏側張材２９の側部開口３０ａを形成する部分を、図６に示すように連結板３２とともに外側から内側に向けて折り込み、凹部２５内に入れる。これにより、連結板３２を凹部２５の内面に当接させて配置することができる。すなわち、弾性変形により屈曲させた連結板３２を復元させることにより、連結板３２を拡げてその両側を凹部２５の内面に当接させる。なお、連結板３２については弾性変形させることなく屈曲形状に成形してもよい。その場合には、連結板３２を凹部２５に入れた際に、この凹部２５の内面に連結板３２を当接することなく、近接した状態で連結板３２を配置していてもよい。
【００３８】
また、図３に示すように張材１２の開口部３０には、表側張材２８の下端部後面に前側背張り芯材３３が取り付けられ、裏側張材２９の下端部前面に後側背張り芯材３４が取り付けられている。これら前側背張り芯材３３、後側背張り芯材３４は、樹脂等によって形成された細板状のもので、表側張材２８あるいは裏側張材２９に縫合等によって取り付けられている。前側背張り芯材３３には、その内面（後面）に複数の係合部（図示せず）が形成されている。これら係合部が下枠部１４の下部支持部１７に形成された係合部（図示せず）に係合させられることにより、前側背張り芯材３３は下部支持部１７に取り付けられ、支持されている。また、後側背張り芯材３４には、その内面（前面）に複数の係合部（図示せず）が形成されている。これら係合部が下枠部１４の下部支持部１７に形成された係合部（図示せず）に係合させられることにより、後側背張り芯材３４も下部支持部１７に取り付けられ、支持されている。このように前側背張り芯材３３、後側背張り芯材３４が下部支持部１７に取り付けられることにより、袋状の張材１２はその開口部３０が下枠部１４によって閉じられ、したがって該開口部３０が露出しないようになっている。
【００３９】
また、張材１２には、その上端縁側（一端縁側）の端縁部（上端縁部）に、椅子１の幅方向における外側端よりやや内側に表側張材２８と裏側張材２９とが接合されてなる余長部３５が形成されている。そして、図４（ｂ）のＣ−Ｃ線矢視断面図である図８に示すように、該余長部３５の前記幅方向における内側には、杆材９を露出させる露出口３６が形成されている。
【００４０】
杆材９には、露出口３６側の端部、すなわち上端部に、該露出口３６に連通する開口を有する嵌合穴９ａと、杆材９の長さ方向に突出して前記余長部３５に当接する突縁部９ｂとが形成されている。突縁部９ｂは、本実施形態では嵌合穴９ａを囲む外周部にその周方向全周に亘って連続して環状に形成されている。したがって、この突縁部９ｂは、張材１２の余長部３５だけでなく、露出口３６の外周部全周に当接している。
【００４１】
そして、このように露出口３６に露出するとともに該露出口３６に連通する杆材９の嵌合穴９ａに対して、連結フレーム１５（閉塞部材）が取り付けられている。連結フレーム１５は、露出口３６を通って嵌合穴９ａに嵌合し、露出口３６を閉塞する閉塞部３７と、図３に示すように一対の閉塞部３７、３７間を連結する連結部３８とを備えたもので、一対の閉塞部３７、３７がそれぞれ対応する杆材９に取り付けられたことにより、一対の杆材９、９間を連結している。
【００４２】
閉塞部３７は、図８に示すように露出口３６を通って嵌合穴９ａに嵌合する嵌合突起３７ａと、嵌合突起３７ａの根本側（上端側）に位置して嵌合突起３７ａの外方に拡がる覆い部３７ｂとからなっている。覆い部３７ｂは、嵌合突起３７ａが嵌合穴９ａに嵌合した状態で、張材１２の余長部３５を含む露出口３６の外周部を介して、杆材９の突縁部９ｂに突き当たっている。嵌合突起３７ａは、内部に孔部を有した筒状のもので、後述するように孔部にナットが収容されるようになっている。
【００４３】
このような閉塞部３７の杆材９（嵌合穴９ａ）への固定は、図４（ｂ）のＤ−Ｄ線矢視断面図である図９に示すように、杆材９の後側（背面側）から挿通されたビス３９によってなされている。すなわち、杆材９の後側（背面側）に形成されたビス孔（図示せず）を通ってビス３９が嵌合穴９ａ内に挿通される。そして、ビス３９はさらに嵌合穴９ａ内に嵌合した嵌合突起３７ａ内に挿通され、その孔部に収容されたナット４０に螺着される。これにより、嵌合突起３７ａが杆材９の嵌合穴９ａ内にビス止めされ、固定される。
【００４４】
なお、このようなビス止めを含む、連結フレーム１５および張材１２の一対の杆材９、９への取り付けは、以下のようにして行う。
まず、袋状の張材１２に対して図３に示すようにその側部開口３０ａにそれぞれ連結板３２を取り付けておくとともに、表側張材２８に前側背張り芯材３３を、裏側張材２９に後側背張り芯材３４をそれぞれ取り付けておく。ただし、前側背張り芯材３３や後側背張り芯材３４の取り付けは後で行ってもよい。
【００４５】
次に、この張材１２の上端縁の露出口３６、３６に、その上方からそれぞれ連結フレーム１５の閉塞部３７の嵌合突起３７ａを挿通し、嵌合突起３７ａを露出口３６、３６から張材１２内に突き出させる。続いて、このように嵌合突起３７ａを露出口３６、３６から突き出させた状態で、張材１２を裏返す。すなわち、嵌合突起３７ａを下側にして裏返した張材１２を上方に引っ張り上げ、この裏返した張材１２内に連結フレーム１５の連結部３８を収容するとともに、嵌合突起３７ａを下端側に突き出させた状態で露出させる。
【００４６】
次いで、下端側に突き出た一対の嵌合突起３７ａをそれぞれ対応する杆材９の嵌合穴９ａに嵌合し、続いて図９に示したように嵌合突起３７ａを杆材９にビス止めする。なお、嵌合突起３７ａを杆材９の嵌合穴９ａに嵌合するに先だって、枠部材１０に対して面材１１を取り付けておく。嵌合突起３７ａを杆材９の嵌合穴９ａに嵌合した際、図８に示すように嵌合突起３７ａが張材１２の露出口３６を通って杆材の嵌合穴９ａに嵌合し、覆い部３７ｂが露出口３６の外周部全周に当接することで余長部３５等を介して杆材９の突縁部９ｂに突き当たるので、杆材９の突縁部９ｂに対して張材１２の余長部３５等が位置合わせされる。これにより、張材１２を大きく引き伸ばした場合でも、露出口３６と杆材９との間の位置ずれが抑制される。
【００４７】
このようにして嵌合突起３７ａをビス止めし、連結フレーム１５を一対の杆材９、９に取り付け、固定したら、裏返していた張材１２を元に戻して一対の杆材９、９に被せる。その際、張材１２の開口部３０が側部開口３０ａを有しているので、袋状の張材１２の開口を大きく拡げることができ、したがって張材１２を枠部材１０に容易に被せることができる。このようにして裏返していた張材１２を元に戻すことにより、袋状の張材１２は、その開口部３０を通して杆材９、９（枠部材１０）にその長さ方向における一端側（上端側）から被せられた状態となる。したがって、嵌合突起３７ａを固定したビス３９は露出することなく張材１２に隠される。
【００４８】
このようにして張材１２を枠部材１０に被せたら、張材１２の側部開口３０ａに取り付けられた連結板３２を図６に示したように枠部材１０の凹部２５内に押し込む。これにより、連結板３２に連結された表側張材２８、裏側張材２９のそれぞれの側部開口３０ａを形成する部位も、凹部２５内に収容される。したがって、この凹部２５に肘掛け１３が取り付けられることにより、張材１２の側部開口３０ａや連結板３２が露出することなく隠される。
【００４９】
また、張材１２の開口部３０に取り付けた前側背張り芯材３３および後側背張り芯材３４も、下部支持部１７に取り付ける。これにより、張材１２は枠部材１０に固定される。このようにして固定された張材１２は、本実施形態では着座者の背中によって加えられる荷重（体重）、すなわち面直方向の荷重に対しての反発力が、面材１１の同じ反発力より相対的に小となっている。すなわち、本実施形態では、強度部材としての枠部材１０に取り付けられた面材１１が、着座者の背中によって加えられる荷重（体重）に対して反発する反発体（弾性抵抗体）となっている。これにより、張材１２を構成する表側張材２８および裏側張材２９の素材やデザインなどについては、反発力についての制限がないことから、求められる性状等に基づいて自由に選択される。すなわち、デザイン面等において高い自由度を有する。
【００５０】
このような構成からなる背凭れ６（椅子用荷重支持部材）は、図３に示す下枠部１４の取付部４１が、図１、図２に示す支基３に取り付けられることにより、椅子１に組み立てられている。また、このようにして背凭れ６が支基３に取り付けられたことにより、張材１２の開口部３０に取り付けた前側背張り芯材３３や後側背張り芯材３４は露出することなく張材１２内に納められる。
【００５１】
本実施形態の椅子用荷重支持部材（背凭れ６）にあっては、枠部材１０に被せられた張材１２における上端縁側の端縁部に、露出口３６を通って杆材９の嵌合穴９ａに嵌合して露出口３６を閉塞するとともに、余長部３５等を介して杆材９の突縁部９ｂに突き当たる連結フレーム１５を設けているので、杆材９の突縁部９ｂに対して張材１２の余長部３５が位置合わせされることにより、張材１２を大きく引き伸ばした場合でも、露出口３６と杆材９との間の位置ずれを抑制し、防止することができる。したがって、その状態で連結アーム１５を容易に取り付けることができ、これによって張材１２の露出口３６を確実に覆うことができる。
【００５２】
また、突縁部９ｂが嵌合穴９ａを囲む外周部にその周方向全周に連続して形成されているので、杆材９の一端側と張材１２とが広範囲で位置合わせされるようになり、したがって張材１２を大きく引き伸ばした場合でも、露出口３６と杆材９との間の位置ずれがより確実に抑制され、防止される。
【００５３】
また、一対の閉塞部３７、３７と連結部３８とを備えた連結フレーム１５を閉塞部材としているので、張材１２の張力等によって一方の閉塞部３７に嵌合穴９ａから脱落する方向への力が働いても、他方の閉塞部３７および連結部３８によって脱落を防止することができる。
【００５４】
本実施形態の椅子１にあっては、背凭れ６を構成するにあたり張材１２が杆材９（枠部材１０）に対し位置合わせされた状態で張設されるので、張材１２を大きく引き伸ばした場合でも、露出口３６と杆材９との間の位置ずれを防止することができる。したがって、露出口３６が確実に覆われるので、生産性に優れ、また見映えも良いものとなる。
【００５５】
なお、本発明は前記実施形態に限定されることなく、本発明の主旨を逸脱しない範囲で種々の変更が可能である。
例えば、前記実施形態では、前側背張り芯材３３や後側背張り芯材３４を介して表側張材２８の下端部、裏側張材２９の下端部をそれぞれ下枠部１４に取り付けるようにしたが、表側張材２８の下端部や裏側張材２９の下端部の下枠部１４への取り付けについては、前側背張り芯材３３や後側背張り芯材３４以外の適宜な部材を用いて行ってもよい。
また、前記実施形態では、嵌合穴９ａに嵌合して露出口３６を閉塞するとともに、余長部３５を介して突縁部８ｂに突き当たる閉塞部材として、連結フレーム１５を用いたが、本発明はこれに限定されることなく、例えば個々に分離して嵌合穴９ａを閉塞し、突縁部８ｂに突き当たるキャップ状の部材により、閉塞部材を形成してもよい。
【符号の説明】
【００５６】
１…椅子、６…背凭れ（椅子用荷重支持部材）、９…杆材、９ａ…嵌合穴、９ｂ…突縁部、１０…枠部材、１１…面材、１２…張材、１５…連結フレーム（閉塞部材）、３５…余長部、３６…露出口、３７…閉塞部、３７ａ…嵌合突起、３７ｂ…覆い部、３８…連結部（閉塞部材）
【図１】
0006529154.tif 000002
【図２】
0006529154.tif 000003
【図３】
0006529154.tif 000004
【図４】
0006529154.tif 000005
【図５】
0006529154.tif 000006
【図６】
0006529154.tif 000007
【図７】
0006529154.tif 000008
【図８】
0006529154.tif 000009
【図９】
0006529154.tif 000010